(57)【要約】【課題】比較的簡易な構成によって、暖房用熱媒が循環する経路の凍結破損を適切に抑制することができる暖房装置を提供する。【解決手段】暖房システム２は、ヒートポンプ１２と、タンク２２と、ＨＰ往き管１６と、ＨＰ戻り管１８と、ＨＰ循環ポンプ１４と、暖房機５０と、暖房往き管４２と、暖房戻り管４４と、暖房循環ポンプ４６と、第１バイパス路９０と、第１熱動弁９１と、第２熱動弁９２と、制御装置７０とを備えている。制御装置７０は、外気温に基づいて、第２熱動弁９２を開き、暖房循環ポンプ４６を作動させる凍結防止運転を実行する。【選択図】  図１
2016044840.tif 000002
【特許請求の範囲】
【請求項１】
大気から吸収した熱を利用して暖房用熱媒を加熱するヒートポンプと、
ヒートポンプで加熱された暖房用熱媒を貯めるタンクと、
暖房用熱媒の熱を利用して暖房する暖房機と、
タンクとヒートポンプとの間で暖房用熱媒を循環させるための経路であるヒートポンプ経路と、
タンクと暖房機との間で暖房用熱媒を循環させるための経路である暖房経路と、
暖房経路内に設けられており、暖房用熱媒を循環させる第１の循環ポンプと、
暖房経路のうちの暖房機の上流側と、ヒートポンプ経路のうちのヒートポンプの上流側とを接続するバイパス路と、
バイパス路に設けられて、開度を調整することによって、暖房機を通過する暖房用熱媒の流量とバイパス路を通過する暖房用熱媒の流量の割合を変化させる流量調整機構と、
バイパス路からヒートポンプ経路内に導入される暖房用熱媒がタンクに流入することを抑止する抑止機構と、
制御装置と、
を備えており、
制御装置は、気温と暖房用熱媒の温度の一方又は双方に基づいて、暖房経路内の暖房用熱媒の少なくとも一部がバイパス路を通過するように流量調整機構の開度を調整して第１の循環ポンプを作動させる特定運転を実行する、
暖房装置。
【請求項２】
ヒートポンプ経路内に設けられており、暖房用熱媒を循環させる第２の循環ポンプをさらに備え、
制御装置は、第２の循環ポンプを作動させられない場合に、気温と暖房用熱媒の温度の一方又は双方に基づいて、特定運転を実行する、
請求項１記載の暖房装置。
【請求項３】
抑止機構は、ヒートポンプ経路のうち、バイパス路との接続部の上流側に設けられている逆止弁である、
請求項１又は２記載の暖房装置。
【請求項４】
燃料を燃焼させた熱によって、暖房機の上流側の暖房経路内の暖房用熱媒を加熱するための熱源機をさらに備え、
制御装置は、特定運転を実行する場合に、気温と暖房用熱媒の温度の一方又は双方に基づいて、熱源機を作動させる、
請求項１から３のいずれか一項に記載の暖房装置。
【発明の詳細な説明】
【技術分野】
【０００１】
本発明は、暖房装置に関する。
【背景技術】
【０００２】
特許文献１には、ヒートポンプと、タンクと、タンクとヒートポンプの間で暖房用熱媒を循環させるためのヒートポンプ経路と、暖房用熱媒の熱を利用して暖房する暖房機と、タンクと暖房機の間で暖房用熱媒を循環させるための暖房経路と、ヒートポンプ経路内の暖房用熱媒を循環させるＨＰ循環ポンプと、ＨＰ循環ポンプとは異なるポンプであってヒートポンプ経路内の暖房用熱媒を循環させる凍防ポンプと、暖房経路内の暖房用熱媒を循環させる暖房循環ポンプと、制御装置とを備える。制御装置は、所定期間の間だけ利用可能な第１の電力系統と、常時利用可能な第２の電力系統とに接続されている。ヒートポンプとＨＰ循環ポンプは第１の電力系統からの電力によって動作する。凍防ポンプは、第２の電力系統からの電力によって動作する。制御装置は、第１の電力系統からの電力が遮断されている間に、気温が所定温度を下回ると、凍防ポンプを作動させることにより、ヒートポンプ経路の凍結破損防止を図っている。
【先行技術文献】
【特許文献】
【０００３】
【特許文献１】特開２０１３−１４２４９２号公報
【発明の概要】
【発明が解決しようとする課題】
【０００４】
特許文献１の暖房装置では、ヒートポンプ経路内の暖房用熱媒を循環させるために、ＨＰ循環ポンプと凍防ポンプの両方を備えている。
【０００５】
本明細書では、暖房用熱媒が循環する経路の凍結破損を適切に抑制することができる暖房装置を提案する。
【課題を解決するための手段】
【０００６】
本明細書が開示する暖房装置は、ヒートポンプと、タンクと、暖房機と、ヒートポンプ経路と、暖房経路と、第１の循環ポンプと、バイパス路と、流量調整機構と、抑止機構と、制御装置とを備えている。ヒートポンプは、大気から吸収した熱を利用して暖房用熱媒を加熱する。タンクは、ヒートポンプで加熱された暖房用熱媒を貯める。暖房機は、暖房用熱媒の熱を利用して暖房する。ヒートポンプ経路は、タンクとヒートポンプとの間で暖房用熱媒を循環させるための経路である。暖房経路は、タンクと暖房機との間で暖房用熱媒を循環させるための経路である。第１の循環ポンプは、暖房経路内に設けられており、暖房用熱媒を循環させる。バイパス路は、暖房経路のうちの暖房機の上流側と、ヒートポンプ経路のうちのヒートポンプの上流側とを接続する。流量調整機構は、バイパス路に設けられて、開度を調整することによって、暖房機を通過する暖房用熱媒の流量とバイパス路を通過する暖房用熱媒の流量の割合を変化させる。抑止機構は、バイパス路からヒートポンプ経路内に導入される暖房用熱媒がタンクに流入することを抑止する。制御装置は、気温と暖房用熱媒の温度の一方又は双方に基づいて、暖房経路内の暖房用熱媒の少なくとも一部がバイパス路を通過するように流量調整機構の開度を調整して第１の循環ポンプを作動させる特定運転を実行する。
【０００７】
上記の構成によると、暖房装置は、特定運転を実行することにより、暖房用熱媒を、ヒートポンプ経路、暖房経路、バイパス路、の順で循環させることができる。抑止機構が備えられているため、バイパス路からヒートポンプ経路内に導入される暖房用熱媒がタンクに流入することもない。そのため、暖房経路内の暖房用熱媒の少なくとも一部がバイパス路を通過するように流量調整機構の開度を調整して第１の循環ポンプを作動させる特定運転を実行することにより、ヒートポンプ経路内及び暖房経路内の暖房用熱媒を循環させることができる。従って、上記の暖房装置によると、暖房用熱媒が循環する経路の凍結破損を適切に抑制することができる。
【図面の簡単な説明】
【０００８】
【図１】暖房システム２の構成を模式的に示す図。
【図２】暖房システム２が実行する凍結防止処理を説明するフローチャート。
【発明を実施するための形態】
【０００９】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１０】
（特徴１）  ヒートポンプ経路内に設けられており、暖房用熱媒を循環させる第２の循環ポンプをさらに備えることが好ましい。制御装置は、第２の循環ポンプを作動させられない場合に、気温と暖房用熱媒の温度の一方又は双方に基づいて、特定運転を実行することが好ましい。
【００１１】
この構成によると、第２の循環ポンプを作動させられない場合であっても、特定運転を実行することにより、ヒートポンプ経路内及び暖房経路内の暖房用熱媒を循環させることができる。また、第２の循環ポンプのほかに、ヒートポンプ経路内の暖房用熱媒を循環させる目的でポンプを備える必要もないため、暖房装置の構成も比較的簡易になる。従って、上記の暖房装置によると、比較的簡易な構成によって、暖房用熱媒が循環する経路の凍結破損を適切に抑制することができる。
【００１２】
（特徴２）  抑止機構は、ヒートポンプ経路のうち、バイパス路との接続部の上流側に設けられている逆止弁であることが好ましい。
【００１３】
逆止弁は、電力の供給が不要な機械弁である。そのため、逆止弁を作動させるための電気配線等が不要であるため、暖房装置の構成をより簡易にすることができる。
【００１４】
（特徴３）  暖房装置は、燃料を燃焼させた熱によって、暖房機の上流側の暖房経路内の暖房用熱媒を加熱するための熱源機をさらに備えることが好ましい。制御装置は、特定運転を実行する場合に、気温と暖房用熱媒の温度の一方又は双方に基づいて、熱源機を作動させることが好ましい。
【００１５】
この構成によると、特定運転を実行する場合に熱源機を作動させることによって、ヒートポンプ経路内及び暖房経路内に高温の暖房用熱媒を循環させることができる。暖房用熱媒が循環する経路の凍結破損をより適切に抑制することができる。
【００１６】
（実施例）
図１に示すように、本実施例に係る暖房システム２は、ＨＰ（ヒートポンプ）ユニット１０と、タンクユニット２０と、暖房ユニット４０と、制御装置７０とを備えている。
【００１７】
ＨＰユニット１０は、ヒートポンプ１２と、ＨＰ循環ポンプ１４と、ＨＰ往き管１６と、ＨＰ戻り管１８と、タンク上部管８０とを備える。なお、本実施例の暖房システム２では、ＨＰユニット１０のうち、ヒートポンプ１２と、ＨＰ循環ポンプ１４と、ＨＰ往き管１６の一部と、ＨＰ戻り管１８の一部とは屋外に設置されることが想定されている。
【００１８】
ヒートポンプ１２は、ＨＰ往き管１６から供給される暖房用熱媒と冷媒との間で熱交換を行う熱交換器（図示省略）を備える。本実施例では、暖房用熱媒にエチレングリコール等を含む不凍液を用いている。他の例では、暖房用熱媒に水を用いてもよい。熱交換器は、暖房用熱媒が流れる熱媒管と、冷媒が流れる冷媒管とを備える（図示省略）。熱媒管の両端部は、それぞれ、ＨＰ往き管１６と、ＨＰ戻り管１８に接続している。冷媒管内を流れる冷媒には、二酸化炭素、ＨＦＣ（ハイドロフルオロカーボン）等のガスを用いることができる。本実施例では、ＨＰ往き管１６を流れてきた暖房用熱媒は、熱交換器の熱媒管を通過する間に冷媒管内の冷媒（高温高圧）と熱交換を行う（冷媒から熱を受け取る）ことによって加熱される。熱交換を終えた高温の暖房用熱媒は、ＨＰ戻り管１８へと送り出される。熱媒管内の暖房用熱媒と、冷媒管内の冷媒は、互いに逆方向に流れる（カウンターフロー）ことが、効率よく熱交換を行う上では好ましい。また、ヒートポンプ１２は、温度センサ１５を備えている。温度センサ１５は、外気温を測定する。
【００１９】
ＨＰ往き管１６は、一端がタンク２２（後述）の下部と接続し、他端がヒートポンプ１２の熱媒管の入口側と接続する。ＨＰ往き管１６は、タンク２２の下部の暖房用熱媒を、ヒートポンプ１２の熱媒管に送り出す。ＨＰ往き管１６は、ＨＰ往き管１６を流れる暖房用熱媒の温度を測定する温度センサ３９を備える。また、ＨＰ往き管１６のうち、第１バイパス路９０（後述）との接続部より上流側には、第１バイパス路９０からＨＰ往き管１６に流入する暖房用熱媒がタンク２２内に流入することを抑止する逆止弁３０が介装されている。逆止弁３０は、電力の供給が不要な機械弁である。
【００２０】
ＨＰ戻り管１８は、一端がヒートポンプ１２の熱媒管の出口側と接続し、他端がタンク上部管８０の一端及び暖房往き管４２の一端と接続する。また、ＨＰ戻り管１８は、ＨＰ戻り管１８を流れる暖房用熱媒の温度を測定する温度センサ３８を備える。タンク上部管８０の他端はタンク２２の上部と接続する。
【００２１】
図１の例では、ＨＰ循環ポンプ１４は、ヒートポンプ１２に備えられている。ＨＰ循環ポンプ１４を動作させることにより、ＨＰ往き管１６とＨＰ戻り管１８とタンク上部管８０とを介して、ヒートポンプ１２とタンク２２との間で暖房用熱媒が循環する。
【００２２】
タンクユニット２０は、タンク２２と三個の温度センサ２４、２６、２８とを備える。タンク２２は、ヒートポンプ１２によって加熱された暖房用熱媒を貯える。タンク２２の容量は、例えば３０Ｌである。三個の温度センサ２４、２６、２８は、タンク２２の高さ方向に沿って下からこの順で設けられている。各温度センサ２４、２６、２８は、それぞれ、タンク２２内の暖房用熱媒の温度を測定する。
【００２３】
暖房ユニット４０は、暖房往き管４２と、暖房戻り管４４と、暖房循環ポンプ４６と、バーナ４８と、暖房機５０と、第２バイパス路６０と、混合弁６２と、を備える。
【００２４】
暖房往き管４２は、一端がタンク上部管８０の端部及びＨＰ戻り管１８の端部と接続し、他端が暖房機５０と接続する。暖房往き管４２は、タンク２２の上部から送り出される暖房用熱媒を、暖房機５０に送り出す。また、暖房往き管４２は、さらに、暖房往き管４２内を流れる暖房用熱媒の温度を測定する温度センサ５２、５４、５６を備える。
【００２５】
第１バイパス路９０は、一端が暖房往き管４２の暖房循環ポンプ４６の下流側と接続し、他端がＨＰ往き管１６の逆止弁３０及び温度センサ３９の下流側と接続する。第１バイパス路９０を備えることにより、暖房往き管４２を流れる暖房用熱媒の一部又は全部を、暖房機５０及びタンク２２を通過させることなく、ＨＰ往き管１６に戻すことができる。
【００２６】
また、暖房往き管４２のうち、第１バイパス路９０との接続部分の下流側には、暖房往き管４２を開閉するための第１熱動弁９１が設けられている。また、第１バイパス路９０には、第１バイパス路９０を開閉するための第２熱動弁９２が設けられている。第１熱動弁９１を開くことで、暖房機５０に暖房用熱媒を供給することができる。第２熱動弁９２を開くことで、第１バイパス路９０に暖房用熱媒を供給することができる。第１熱動弁９１の開度及び第２熱動弁９２の開度を調整することによって、暖房機５０を通過する暖房用熱媒の流量と、第１バイパス路９０を通過する暖房用熱媒の流量の割合を変化させることもできる。本実施例では、第１熱動弁９１を閉じ、第２熱動弁９２を開くと、暖房往き管４２を流れる暖房用熱媒の全量が第１バイパス路９０を通過する。逆に、第１熱動弁９１を開き、第２熱動弁９２を閉じると、暖房往き管４２を流れる暖房用熱媒の全量が暖房機５０に供給される。
【００２７】
暖房機５０は、暖房往き管４２から供給される暖房用熱媒からの放熱を利用して暖房を行う。放熱により、暖房用熱媒の温度は低くなる。放熱後の暖房用熱媒は、暖房戻り管４４に送り出される。
【００２８】
バーナ４８は、都市ガスやＬＰガス等の燃料を燃焼させ、その燃焼熱によって熱媒往き管４２内を流れる暖房用熱媒を加熱する。バーナ４８は、暖房往き管４２内の暖房用熱媒が、暖房機５０で必要とされる温度に満たない場合に動作する補助熱源である。
【００２９】
暖房戻り管４４は、一端が暖房機５０と接続し、他端がタンク２２の下部と接続する。暖房戻り管４４は、暖房機５０から送り出される放熱後の暖房用熱媒を、タンク２２に送り出す。暖房戻り管４４は、さらに、暖房戻り管４４内を流れる暖房用熱媒（放熱後）の温度を測定する温度センサ５８を備える。
【００３０】
暖房循環ポンプ４６は、暖房往き管４２の途中に設けられている。暖房循環ポンプ４６を動作させることにより、暖房往き管４２と暖房戻り管４４とを介して暖房用熱媒が循環する。
【００３１】
第２バイパス路６０は、暖房往き管４２と暖房戻り管４４との間に設けられている。第２バイパス路６０は、一端が暖房往き管４２の暖房循環ポンプ４６の上流側と接続し、他端が暖房戻り管４４と接続している。第２バイパス路６０を備えることにより、暖房戻り管４４を流れる暖房用熱媒の一部又は全部を、タンク２２を経由することなく、暖房往き管４２に戻すことができる。
【００３２】
また、暖房戻り管４４と第２バイパス路６０とが接続する部分には、混合弁６２が設けられている。混合弁６２の開度を調整することによって、タンク２２に戻される暖房用熱媒の流量と第２バイパス路６０を通過する暖房用熱媒の流量の割合を変化させることができる。本実施例では、混合弁６２を全閉すると、暖房戻り管４４を流れる暖房用熱媒の全量が第２バイパス路６０を通過する。混合弁６２を全開すると、暖房戻り管４４を流れる暖房用熱媒の全量がタンク２２に供給される。
【００３３】
混合弁６２の開度を調整することにより、例えば、暖房往き管４２を通って暖房機５０に送られる暖房用熱媒の温度が高過ぎるときに、暖房戻り管４４内の放熱後の暖房用熱媒を、第２バイパス路６０を介して暖房往き管４２内の暖房用熱媒に合流させて、暖房機５０に送られる暖房用熱媒の温度を低下させることができる。また、例えば、タンク２２内に高温の暖房用熱媒が十分に貯められていない状態で暖房運転を行う場合に、暖房戻り管４４内の放熱後の暖房用熱媒をタンク２２に戻さずに、第２バイパス路６０を介して暖房往き管４２内の暖房用熱媒に合流させて、タンク２２内の暖房用熱媒の温度の低下を抑制することもできる。
【００３４】
制御装置７０は、ＨＰユニット１０、タンクユニット２０、及び、暖房ユニット４０と電気的に接続されており、各ユニット１０、２０、４０の各構成要素の動作を制御する。制御装置７０は、蓄熱運転、暖房運転、凍結防止運転等の各種運転を本実施例の暖房システム２に実行させる。
【００３５】
通常電力系統７２と融雪電力系統７４はいずれも電力会社が提供する。通常電力系統７２は、常時利用可能な電力系統である。一方、融雪電力系統７４は、寒冷地において、主に冬期（１０月〜５月）の間に限って利用可能な特別の電力系統である。なお、融雪電力系統７４が利用不可能な期間（６月〜９月）には、電力会社が融雪電力系統７４への電力供給を停止する。融雪電力系統７４からの電力の利用は、暖房目的のものに限られるという規則が定められている。さらに、融雪電力系統７４を利用可能な期間においては、毎日、所定の時間帯（例えば毎日１６時〜２１時）の間に、電力を遮断する遮断期間を設ける必要があるという規則も定められている。遮断期間は、毎日、所定の時間帯の間（例えば毎日１６時〜２１時の間）に、合計で２時間設ける必要がある。遮断期間は、利用者が事前に設定しておく。従って、利用者は、例えば、毎日１６時〜１８時の２時間を遮断期間として設定することができる。また、他の例では、毎日１６時〜２１時の間に、３０分間の遮断期間を断続的に４回設けてもよい。毎日、１６時〜２１時の間に、合計で２時間の遮断期間を設けることができれば、遮断期間の設定方法は任意とすることができる。
【００３６】
図１に示すように、融雪電力系統７４はタイマ７６を備えている。タイマ７６は、融雪電力系統７４を利用可能な期間（上記の例における１０月〜５月）の間に動作する。融雪電力系統７４を利用可能な期間中に、タイマ７６が、遮断期間であることを示す場合、ブレーカ（図示省略）によって電力供給が遮断されて、融雪電力系統７４が一時的に利用不可能となる（遮断される）。
【００３７】
本実施例では、ヒートポンプ１２、ＨＰ循環ポンプ１４、及び、混合弁６２は、融雪電力系統７４から電力供給を受けて動作する。そのため、融雪電力系統７４の遮断期間が開始すると、ヒートポンプ１２、ＨＰ循環ポンプ１４、及び、混合弁６２は動作できなくなる。なお、その他の要素である制御装置７０、暖房循環ポンプ４６、バーナ４８、暖房機５０、第１熱動弁９１、及び、第２熱動弁９２は、通常電力系統７２から電力供給を受けて動作する。そのため、制御装置７０、暖房循環ポンプ４６、バーナ４８、暖房機５０、第１熱動弁９１、及び、第２熱動弁９２は、常時動作可能である。
【００３８】
次いで、本実施例の暖房システム２の動作について説明する。暖房システム２は、融雪電力系統７４の利用可能期間と、融雪電力系統７４の遮断期間とで、異なる動作を行う。以下、融雪電力系統７４の利用可能期間と遮断期間とで場合を分けて説明する。
【００３９】
（融雪電力系統７４の利用可能期間中の動作）
融雪電力系統７４の利用可能期間中、暖房システム２の制御装置７０は、凍結防止運転と、蓄熱運転と、暖房運転とを実行することができる。また、暖房システム２の制御装置７０は、融雪電力系統７４の遮断期間開始５分前になると、後述の遮断直前処理を行う。
【００４０】
融雪電力系統７４の利用可能期間中における凍結防止運転は、ヒートポンプ１２とタンク２２との間で暖房用熱媒を循環させることにより、ヒートポンプ１２とＨＰ往き管１６とＨＰ戻り管１８の凍結破損を防止するための運転である。融雪電力系統７４の利用可能期間中に凍結防止運転が指示されると、制御装置７０は、ヒートポンプ１２及びＨＰ循環ポンプ１４を作動させる。ＨＰ循環ポンプ１４が動作することにより、ＨＰ往き管１６とＨＰ戻り管１８とタンク上部管８０とを介して、ヒートポンプ１２とタンク２２との間で暖房用熱媒が循環する。タンク２２内に比較的高温の暖房用熱媒が貯められている場合には、ヒートポンプ１２とＨＰ往き管１６とＨＰ戻り管１８とに比較的高温の暖房用熱媒が供給されるため、ヒートポンプ１２とＨＰ往き管１６とＨＰ戻り管１８の凍結破損が適切に抑制される。
【００４１】
なお、凍結防止運転が指示された際に、タンク２２内に高温の暖房用熱媒が貯められていない場合には、制御装置７０は、ＨＰ循環ポンプ１４とともに、ヒートポンプ１２を作動させる。即ち、制御装置７０は、蓄熱運転を行う。蓄熱運転は、ヒートポンプ１２で生成した熱により、タンク２２内の暖房用熱媒を加熱する運転である。これにより、ＨＰ往き管１６からヒートポンプ１２に供給される暖房用熱媒は、ヒートポンプ１２で生成された熱によって加熱され、ＨＰ戻り管１８及びタンク上部管８０を通ってタンク２２上部に戻される。これにより、タンク２２に高温の暖房用熱媒が貯められる。タンク２２の上部には、高温の暖房用熱媒の層が形成され、下部には、低温の暖房用熱媒の層が形成される。
【００４２】
この蓄熱運転が行われると、タンク２２内に比較的高温の暖房用熱媒が貯められるようになり、その結果、ヒートポンプ１２とＨＰ往き管１６とＨＰ戻り管１８とに比較的高温の暖房用熱媒が供給されるようになる。従って、ヒートポンプ１２とＨＰ往き管１６とＨＰ戻り管１８の凍結破損が適切に抑制される。なお、本実施例では、凍結防止運転が指示されていない場合であっても、制御装置７０は、蓄熱運転を単独で行ってもよい。
【００４３】
また、凍結防止運転が指示された際に、暖房運転が行われている間には、上記の凍結防止運転とは異なる運転が行われる。暖房運転は、暖房機５０を作動させて居室を暖房する運転である。融雪電力系統７４の利用可能期間中に、暖房運転が実行されると、制御装置７０は、暖房循環ポンプ４６とともに、ヒートポンプ１２及びＨＰ循環ポンプ１４を作動させる。この際、制御装置７０は、第１熱動弁９１を開き、第２熱動弁９２を閉じる。これにより、タンク２２、ＨＰ往き管１６、ヒートポンプ１２、ＨＰ戻り管１８、暖房往き管４２、暖房機５０、暖房戻り管４４、タンク２２、の順に暖房用熱媒が循環する。ヒートポンプ１２で加熱された後の暖房用熱媒が、ＨＰ戻り管１８及び暖房往き管４２を経由して暖房機５０に供給される。暖房機５０は、暖房用熱媒の熱を利用して居室を暖房する。なお、暖房運転中は、暖房戻り管４４からタンク２２下部に暖房用熱媒が流入しているため、ＨＰ戻り管１８を流れる暖房用熱媒は、タンク上部管８０からタンク２２上部に戻されることはない。暖房運転を行う間、制御装置７０は、暖房機５０に供給される暖房用熱媒の温度（即ち、温度センサ５６で検出される温度）が所定の設定温度に保たれるように、ヒートポンプ１２を作動させる。なお、制御装置７０は、暖房機５０に供給される暖房用熱媒の温度が十分でない場合には、バーナ４８を作動させることができる。また、制御装置７０は、暖房機５０に供給される暖房用熱媒の温度が十分でない場合には、混合弁６２を開いて暖房往き管４４を流れる暖房用熱媒のうちの少なくとも一部が第２バイパス路６０を通過するようにして、タンク２２に供給される暖房用熱媒の流量の割合を減らすこともできる。また、制御装置７０は、暖房機５０に供給される暖房用熱媒の温度が高すぎる場合には、混合弁６２の開度を小さくして、暖房往き管４４を流れる暖房用熱媒のうちタンク２２に供給される暖房用熱媒の流量の割合を増やすこともできる。
【００４４】
この暖房運転が行われる場合も、ヒートポンプ１２、ＨＰ往き管１６、及び、ＨＰ戻り管１８内に十分に暖房用熱媒を循環させることができる。従って、ヒートポンプ１２、ＨＰ往き管１６及びＨＰ戻り管１８の凍結破損を適切に抑制することができる。なお、本実施例では、凍結防止運転が指示されていない場合であっても、制御装置７０は、暖房運転を単独で行ってもよい。
【００４５】
遮断直前処理は、融雪電力系統７４の遮断後の暖房運転及び凍結防止運転のために、融雪電力系統７４の遮断前に混合弁６２を動作させておく処理である。具体的には、制御装置７０は、融雪電力系統７４の遮断期間開始５分前になることを常時監視しており、融雪電力系統７４の遮断期間開始５分前になると、混合弁６２を全閉する処理を行う。これにより、暖房戻り管４４を流れる暖房用熱媒の全量が第２バイパス路６０を通過するようになる。即ち、タンク２２に暖房用熱媒が供給されなくなる。
【００４６】
（融雪電力系統７４の遮断期間中の動作）
上記の遮断直前処理の終了後、融雪電力系統７４の遮断期間が開始される。上記の通り、融雪電力系統７４の遮断期間中は、ヒートポンプ１２、ＨＰ循環ポンプ１４、及び、混合弁６２を動作させることができない。従って、融雪電力系統７４の遮断期間中において、暖房システム２は、暖房運転と、図２に示す凍結防止処理とを実行することができる。
【００４７】
遮断期間中に暖房運転の実行が指示されると、制御装置７０は、暖房循環ポンプ４６及びバーナ４８を動作させる。また、制御装置７０は、第１熱動弁９１を開き、第２熱動弁９２を閉じる。また、上記の遮断直前運転において混合弁６２は全閉されている。なお、遮断期間中の暖房運転では、ヒートポンプ１２及びＨＰ循環ポンプ１４は作動させられない。これにより、暖房用熱媒は、暖房往き管４２、暖房機５０、暖房戻り管４４、第２バイパス路６０、の順で循環する。暖房機５０には、バーナ４８の燃焼熱によって加熱された後の暖房用熱媒が供給される。暖房機５０は、暖房用熱媒の熱を利用して居室を暖房する。
【００４８】
図２の凍結防止処理は、融雪電力系統７４の遮断期間中に凍結防止運転を実行させるための処理である。制御装置７０は、融雪電力系統７４の遮断期間が開始される場合に、図２の凍結防止処理を開始する。なお、図２に示すように、凍結防止処理が開始される時点では、上記の遮断直前処理により、混合弁６２が全閉されている。
【００４９】
まず、Ｓ１０、Ｓ１２、Ｓ１６では、制御装置７０は、外気温が、予め定められたいずれの温度範囲に属するのかを判断する。ここで、外気温とは、ヒートポンプ１２に備えられている温度センサ１５が測定する気温のことを言う。
【００５０】
（Ｉ）外気温が−９℃よりも高い場合、制御装置７０は、Ｓ１０でＹＥＳと判断する。この場合、制御装置７０は、遮断期間中に、ヒートポンプ１２、ＨＰ往き管１６、及び、ＨＰ戻り管１８の凍結防止のための運転を実行しない（即ち、凍結防止運転を実行しない）。外気温が−９℃よりも高い場合には、遮断期間中にヒートポンプ１２、ＨＰ往き管１６、及び、ＨＰ戻り管１８が凍結破損する可能性が少ないためである。その後、遮断期間が終了すると（即ち、融雪電力系統７４の利用可能期間が開始されると）、図２の処理が終了する。
【００５１】
（ＩＩ）外気温が−１２℃よりも高く−９℃以下である場合、制御装置７０は、Ｓ１２でＹＥＳと判断し、Ｓ１４に進む。外気温が−１２℃よりも高く−９℃以下である場合には、遮断期間中にヒートポンプ１２、ＨＰ往き管１６、及び、ＨＰ戻り管１８が凍結破損する可能性がある。そのため、Ｓ１４では、制御装置７０は、暖房循環ポンプ４６及びバーナ４８を作動させるとともに、第２熱動弁９２を、図２の表中の周期Ａに従って開閉する（即ち、凍結防止運転を実行する）。暖房循環ポンプ４６及びバーナ４８の作動形態、及び、第２熱動弁９２の開閉周期Ａは、暖房運転が実行されているか否か、及び、暖房運転が実行されている場合の設定温水温度に応じて変わる。
【００５２】
暖房運転が実行されていない場合には、Ｓ１４では、制御装置７０は、暖房循環ポンプ４６とバーナ４８とを１０分間作動させた後、１０分間停止させる。即ち、制御装置７０は、暖房循環ポンプ４６とバーナ４８とを間欠的に作動させる。この際の暖房用熱媒の設定温度は４０℃である。即ち、制御装置７０は、加熱後の暖房用熱媒の温度が４０℃になるようにバーナ４８を作動させる。また、制御装置７０は、暖房循環ポンプ４６とバーナ４８とを作動させている１０分の間に第２熱動弁９２を開き（図中のＯＮ）、暖房循環ポンプ４６とバーナ４８とを停止させている１０分の間に第２熱動弁９２を閉じる（図中のＯＦＦ）。この間、暖房運転は実行されていないため、第１熱動弁９１は閉じられている。これにより、暖房循環ポンプ４６とバーナ４８とを作動させている１０分の間に、バーナ４８で加熱された後の高温の暖房用熱媒が、第１バイパス路９０を通過してＨＰ往き管１６に流入する。ＨＰ往き管１６及びＨＰ戻り管１８内を高温の暖房用熱媒が循環するため、ヒートポンプ１２、ＨＰ往き管１６、及び、ＨＰ戻り管１８の凍結破損が抑制される。
【００５３】
一方、暖房運転が実行されている場合には、Ｓ１４では、制御装置７０は、暖房循環ポンプ４６とバーナ４８とを連続して作動させる。この場合、第１熱動弁９１は連続して開かれている。この際の暖房用熱媒の設定温度は、暖房機５０における要求熱量に応じて、４０℃、６０℃、８０℃、の各値に設定される。即ち、制御装置７０は、加熱後の暖房用熱媒の温度が設定温度（４０℃、６０℃、８０℃）になるようにバーナ４８を作動させる。設定温度が４０℃の場合、Ｓ１４では、制御装置７０は、第２熱動弁９２を１５分間開いた（図中のＯＮ）後、５分間閉じる（図中のＯＦＦ）。上記の通り、第２熱動弁２が開かれている間に、バーナ４８で加熱された後の高温の暖房用熱媒が、第１バイパス路９０を通過してＨＰ往き管１６に流入する。ヒートポンプ１２、ＨＰ往き管１６、及び、ＨＰ戻り管１８内を高温の暖房用熱媒が循環するため、ヒートポンプ１２、ＨＰ往き管１６、及び、ＨＰ戻り管１８の凍結破損が抑制される。設定温度が６０℃の場合、Ｓ１４では、制御装置７０は、第２熱動弁９２を１０分間開いた（図中のＯＮ）した後、１０分間閉じる（図中のＯＦＦ）。設定温度が８０℃の場合、Ｓ１４では、制御装置７０は、第２熱動弁９２を５分間開いた（図中のＯＮ）後、１５分間閉じる（図中のＯＦＦ）。設定温度が高温になるほど、第２熱動弁９２を開く（図中のＯＮ）時間が短いのは、ヒートポンプ１２、ＨＰ往き管１６、及び、ＨＰ戻り管１８に供給される暖房用熱媒の温度が高温であるほど、より短時間の循環によっても十分に凍結破損を抑制する効果が得られるためである。
【００５４】
Ｓ１４の処理の開始後、遮断期間が終了すると（即ち、融雪電力系統７４の利用可能期間が開始されると）、図２の処理が終了する。
【００５５】
（ＩＩＩ）外気温が−１５℃よりも高く−１２℃以下である場合、制御装置７０は、Ｓ１６でＹＥＳと判断し、Ｓ１８に進む。外気温が−１５℃よりも高く−１２℃以下である場合には、遮断期間中に、ヒートポンプ１２、ＨＰ往き管１６、及び、ＨＰ戻り管１８が凍結破損する可能性が高くなる。そのため、Ｓ１８では、制御装置７０は、暖房循環ポンプ４６及びバーナ４８を作動させるとともに、第２熱動弁９２を、図２の表中の周期Ｂに従って開閉する（即ち、凍結防止運転を実行する）。暖房循環ポンプ４６及びバーナ４８の作動形態、及び、第２熱動弁９２の開閉周期Ｂも、暖房運転が実行されているか否か、及び、暖房運転が実行されている場合の設定温水温度に応じて変わる。
【００５６】
暖房運転が実行されていない場合には、Ｓ１８では、制御装置７０は、暖房循環ポンプ４６とバーナ４８とを１５分間作動させた後、５分間停止させる。即ち、制御装置７０は、暖房循環ポンプ４６とバーナ４８とを間欠的に作動させる。この際の暖房用熱媒の設定温度は４０℃である。また、制御装置７０は、暖房循環ポンプ４６とバーナ４８とを作動させている１５分の間に第２熱動弁９２を開き（図中のＯＮ）、暖房循環ポンプ４６とバーナ４８とを停止させている５分の間に第２熱動弁９２を閉じる（図中のＯＦＦ）。この間、第１熱動弁９１は閉じられている。これにより、暖房循環ポンプ４６とバーナ４８とを作動させている１５分の間に、バーナ４８で加熱された後の高温の暖房用熱媒が、第１バイパス路９０を通過してＨＰ往き管１６に流入する。ヒートポンプ１２、ＨＰ往き管１６、及び、ＨＰ戻り管１８内を高温の暖房用熱媒が循環するため、ヒートポンプ１２、ＨＰ往き管１６、及び、ＨＰ戻り管１８の凍結破損が抑制される。
【００５７】
一方、暖房運転が実行されている場合には、Ｓ１８では、制御装置７０は、暖房循環ポンプ４６とバーナ４８とを連続して作動させる。また、第１熱動弁９１は開かれている。暖房用熱媒の設定温度は、暖房機５０における要求熱量に応じて、４０℃、６０℃、８０℃、の各値に設定される。設定温度が４０℃の場合、Ｓ１８では、制御装置７０は、第２熱動弁９２を常時開く（連続ＯＮ）。設定温度が６０℃の場合、Ｓ１８では、制御装置７０は、第２熱動弁９２を１５分間開いた（図中のＯＮ）後、５分間閉じる（図中のＯＦＦ）。設定温度が８０℃の場合、Ｓ１８では、制御装置７０は、第２熱動弁９２を１０分間開いた（図中のＯＮ）後、１０分間閉じる（図中のＯＦＦ）。第２熱動弁９２を開いている間に、バーナ４８で加熱された後の高温の暖房用熱媒が、第１バイパス路９０を通過してＨＰ往き管１６に流入する。そのため、ヒートポンプ１２、ＨＰ往き管１６、及び、ＨＰ戻り管１８の凍結破損が抑制される。
【００５８】
Ｓ１８の処理の開始後、遮断期間が終了すると（即ち、融雪電力系統７４の利用可能期間が開始されると）、図２の処理が終了する。
【００５９】
（ＩＶ）外気温が−１５℃以下である場合、制御装置７０は、Ｓ１６でＮＯと判断し、Ｓ２０に進む。外気温が−１５℃以下である場合には、遮断期間中に、ヒートポンプ１２、ＨＰ往き管１６、及び、ＨＰ戻り管１８が凍結破損する可能性が非常に高くなる。そのため、Ｓ２０では、制御装置７０は、暖房循環ポンプ４６及びバーナ４８を作動させるとともに、第２熱動弁９２を、図２の表中の周期Ｃに従って開閉する（即ち、凍結防止運転を実行する）。暖房循環ポンプ４６及びバーナ４８の作動形態、及び、第２熱動弁９２の開閉周期Ｃも、暖房運転が実行されているか否か、及び、暖房運転が実行されている場合の設定温水温度に応じて変わる。
【００６０】
暖房運転が実行されていない場合には、Ｓ２０では、制御装置７０は、暖房循環ポンプ４６とバーナ４８とを連続して作動させる。この際の暖房用熱媒の設定温度は４０℃である。また、制御装置７０は、第２熱動弁９２を常時開く（連続ＯＮ）。また、第１熱動弁９１は閉じられている。これにより、暖房循環ポンプ４６とバーナ４８とを作動させている間、バーナ４８で加熱された後の高温の暖房用熱媒が、第１バイパス路９０を通過してＨＰ往き管１６に流入する。ヒートポンプ１２、ＨＰ往き管１６、及び、ＨＰ戻り管１８内を高温の暖房用熱媒が循環するため、ヒートポンプ１２、ＨＰ往き管１６、及び、ＨＰ戻り管１８の凍結破損が抑制される。
【００６１】
一方、暖房運転が実行されている場合には、Ｓ２０では、制御装置７０は、暖房循環ポンプ４６とバーナ４８とを連続して作動させる。第１熱動弁９１は開かれている。暖房用熱媒の設定温度は、暖房機５０における要求熱量に応じて、４０℃、６０℃、８０℃、の各値に設定される。設定温度が４０℃の場合、Ｓ２０では、制御装置７０は、第２熱動弁９２を常時開く（連続ＯＮ）。設定温度が６０℃の場合も、Ｓ２０では、制御装置７０は、第２熱動弁９２を常時開く（連続ＯＮ）。設定温度が８０℃の場合、Ｓ２０では、制御装置７０は、第２熱動弁９２を１５分間開いた（図中のＯＮ）後、５分間閉じる（図中のＯＦＦ）。第２熱動弁９２を閉じている間に、バーナ４８で加熱された後の高温の暖房用熱媒が、第１バイパス路９０を通過してＨＰ往き管１６に流入する。そのため、ヒートポンプ１２、ＨＰ往き管１６、及び、ＨＰ戻り管１８の凍結破損が抑制される。
【００６２】
Ｓ２０の処理の開始後、遮断期間が終了すると（即ち、融雪電力系統７４の利用可能期間が開始されると）、図２の処理が終了する。
【００６３】
以上、本実施例の暖房システム２の構成及び運転内容について説明した。本実施例では、暖房システム２は、ヒートポンプ１２及びＨＰ循環ポンプ１４が利用できない期間である融雪電力系統７４の遮断期間中に、外気温に基づいて、暖房用熱媒が第１バイパス路９０を通過するように第２熱動弁９２の開度を調整して、暖房循環ポンプ４６及びバーナ４８を作動して凍結防止運転を実行する（図２のＳ１４、Ｓ１８、Ｓ２０）。暖房システム２は、凍結防止運転を実行することにより、暖房用熱媒を、暖房用往き管４２、第１バイパス路９０、ＨＰ往き管１６、ヒートポンプ１２、ＨＰ戻り管１８、暖房往き管４２、の順で循環させることができる。そのため、融雪電力系統７４の遮断期間中であっても、凍結防止運転を実行することにより、ヒートポンプ１２、ＨＰ往き管１６、及び、ＨＰ戻り管１８を含む経路内で暖房用熱媒を循環させることができる。また、ＨＰ循環ポンプ１４のほかに、ヒートポンプ１２、ＨＰ往き管１６、及び、ＨＰ戻り管１８内の暖房用熱媒を循環させる目的でポンプを備える必要もないため、暖房システム２の構成も比較的簡易になる。従って、本実施例の暖房システム２によると、比較的簡易な構成によって、暖房用熱媒が循環する経路の凍結破損を適切に抑制することができる。
【００６４】
また、本実施例の暖房システム２では、ＨＰ往き管１６には、第１バイパス路９０からＨＰ往き管１６に流入する暖房用熱媒がタンク２２内に流入することを抑止する逆止弁３０が介装されている。逆止弁３０は、電力の供給が不要な機械弁である。そのため、逆止弁を作動させるための電気配線等が不要であるため、暖房システム２の構成をより簡易にすることができる。
【００６５】
また、本実施例では、遮断期間中に凍結防止運転が実行される場合（図２のＳ１４、Ｓ１８、Ｓ２０）に、暖房循環ポンプ４６とともにバーナ４８が作動する。これにより、循環する暖房用熱媒を高温にすることができる。暖房用熱媒が循環する経路の凍結破損をより適切に抑制することができる。
【００６６】
ここで、実施例の記載と請求項の記載との対応関係を説明しておく。ＨＰ往き管１６及びＨＰ戻り管１８が「ヒートポンプ経路」の一例である。ＨＰ循環ポンプ１４が「第２の循環ポンプ」の一例である。暖房往き管４２及び暖房戻り管４４が「暖房経路」の一例である。暖房循環ポンプ４６が「第１の循環ポンプ」の一例である。第１バイパス路９０が「バイパス路」の一例である。また、第１熱動弁９１及び第２熱動弁９２が「流量調整機構」の一例である。逆止弁３０が「抑止機構」の一例である。図２のＳ１４、Ｓ１８、Ｓ２０で実行される凍結防止運転が「特定運転」の一例である。バーナ４８が「熱源機」の一例である。
【００６７】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００６８】
（変形例１）  上記の実施例では、制御装置７０は、融雪電力系統７４が遮断されている場合に、外気温に基づいて、第２熱動弁９２を開いて（即ち、第１バイパス路９０に暖房用熱媒の少なくとも一部が供給されるようにして）、暖房循環ポンプ４６及びバーナ４８を作動して凍結防止運転を実行する（図２のＳ１４、Ｓ１８、Ｓ２０）。これに対し、ヒートポンプ１２及びＨＰ循環ポンプ１４が利用できない原因は、融雪電力系統７４の遮断に限られず、ヒートポンプ１２及びＨＰ循環ポンプ１４の故障等、別の原因であってもよい。その場合でも、制御装置７０は、外気温に基づいて、第２熱動弁９２を開いて、暖房循環ポンプ４６及びバーナ４８を作動して、凍結防止運転を実行してもよい。この変形例も「第２の循環ポンプを作動させられない場合」の一例である。
【００６９】
（変形例２）  上記の実施例では、制御装置７０は、凍結防止運転を実行する場合、暖房循環ポンプ４６とともにバーナ４８を作動させている（図２のＳ１４、Ｓ１８、Ｓ２０）。これに限られず、制御装置は、凍結防止運転を実行する場合に、バーナ４８を作動させずに、暖房循環ポンプ４６のみを作動させてもよい。この場合も、ＨＰ往き管１６及びＨＰ戻り管１８内に暖房用熱媒を供給することができれば、ヒートポンプ１２、ＨＰ往き管１６、及び、ＨＰ戻り管１８の凍結破損を防止することが可能である。
【００７０】
（変形例３）  上記の実施例では、制御装置７０は、外気温に基づいて、凍結防止運転を実行するか否か、及び、凍結防止運転を実行する場合の運転内容を判断している（図２参照）。これに代えて、制御装置７０は、暖房用熱媒の温度に基づいて、凍結防止運転を実行するか否か、及び、凍結防止運転を実行する場合の運転内容を判断してもよい。また、制御装置７０は、外気温と暖房用熱媒の温度の双方に基づいて、これらを判断してもよい。
【００７１】
（変形例４）  上記の実施例では、ＨＰ戻り管１６の端部（下流端）は、タンク上部管８０の一端及び暖房往き管４２の一端（上流端）と接続する。これに限らず、タンク上部管８０を省略し、ＨＰ戻り管１６の下流端を、タンク２２の上部に接続してもよい。また、暖房往き管４２の上流端も、タンク２２の上部に接続してもよい。
【００７２】
（変形例５）  上記の実施例では、ＨＰ往き管１６のうち、第１バイパス路９０（後述）との接続部より上流側には、逆止弁３０が介装されている。第１バイパス路９０からＨＰ往き管１６に流入する暖房用熱媒がタンク２２内に流入することを抑止可能であれば、逆止弁３０に代えて電動の開閉弁を備えてもよい。また、逆止弁３０に代えて、第１バイパス路９０とＨＰ往き管１６の接続部に、三方切替弁（混合弁）を備えてもよい。さらに、逆止弁３０に代えて電動の開閉弁を備える場合においては、当該開閉弁を、ＨＰ往き管１６のうち、第１バイパス路９０（後述）との接続部より上流側ではなく、タンク上部管８０に設けてもよい。これらの変形例の開閉弁及び三方切替弁も「抑止機構」の一例である。
【００７３】
（変形例６）  上記の実施例では、暖房往き管４２のうち、第１バイパス路９０との接続部分の下流側に第１熱動弁９１が設けられ、第１バイパス路９０には第２熱動弁９２が設けられている。これに限られず、暖房往き管４２と第１バイパス路９０とが接続する部分に、開度を調整して、暖房機５０に供給される暖房用熱媒の流量の割合と、第１バイパス路９０に供給される暖房用熱媒の流量の割合とを変化させる混合弁が設けられていてもよい。この場合の混合弁も「流量調整機構」の一例である。
【００７４】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７５】
２：暖房システム
１０：ＨＰユニット
１２：ヒートポンプ
１４：ＨＰ循環ポンプ
１５：温度センサ
１６：ＨＰ往き管
１８：ＨＰ戻り管
２０：タンクユニット
２２：タンク
２４、２６、２８：温度センサ
３０：逆止弁
３８、３９：温度センサ
４０：暖房ユニット
４２：暖房往き管
４４：暖房戻り管
４６：暖房循環ポンプ
４８：バーナ
５０：暖房機
５２、５４、５６、５８：温度センサ
６０：第２バイパス路
６２：混合弁
７０：制御装置
７２：通常電力系統
７４：融雪電力系統
７６：タイマ
８０：タンク上部管
９０：第１バイパス路
９１：第１熱動弁
９２：第２熱動弁
【図１】
2016044840.tif 000003
【図２】
2016044840.tif 000004